(57)【要約】【課題】駆動電圧変更の際におこる駆動回路での回路損失の増加を防ぐ。【解決手段】画像表示装置が、表示パネルを駆動するための駆動電圧を生成して該駆動電圧を前記表示パネルに出力する駆動回路と、前記駆動回路に対して、電源電圧と、前記駆動電圧の値を規定するための基準電圧とを供給する駆動電源回路と、を備える。前記駆動電源回路は、入力される制御電圧の値に応じて、出力する基準電圧の値を変化させる基準電圧変換部と、前記制御電圧の値、又は、前記基準電圧変換部から出力される前記基準電圧の値に応じて、前記電源電圧と前記基準電圧がともに低下し又は上昇するように、出力する電源電圧の値を変化させる電源電圧変換部と、を有する。【選択図】図１
2011154187.tif 000002
【特許請求の範囲】
【請求項１】
表示パネルと、
前記表示パネルを駆動するための駆動電圧を生成して該駆動電圧を前記表示パネルに出力する駆動回路と、
前記駆動回路に対して、電源電圧と、前記駆動電圧の値を規定するための基準電圧とを供給する駆動電源回路と、を備え、
前記駆動電源回路は、
入力される制御電圧の値に応じて、出力する基準電圧の値を変化させる基準電圧変換部と、
前記制御電圧の値、又は、前記基準電圧変換部から出力される前記基準電圧の値に応じて、前記電源電圧と前記基準電圧がともに低下し又は上昇するように、出力する電源電圧の値を変化させる電源電圧変換部と、
を有することを特徴とする画像表示装置。
【請求項２】
前記電源電圧変換部は、前記電源電圧と前記基準電圧の差が一定となるように、出力する前記電源電圧の値を制御することを特徴とする請求項１に記載の画像表示装置。
【請求項３】
前記電源電圧変換部は、前記電源電圧と前記基準電圧の比が一定となるように、出力する前記電源電圧の値を制御することを特徴とする請求項１に記載の画像表示装置。
【請求項４】
前記駆動電源回路に対して電力を供給する電力供給源をさらに備え、
前記電力供給源は前記電源電圧変換部に電力を供給し、
前記基準電圧変換部は前記電源電圧変換部の出力を電力源とし、
前記制御電圧は前記電源電圧変換部および前記基準電圧変換部の両方に入力されることを特徴とする請求項１〜３のうちいずれか１項に記載の画像表示装置。
【請求項５】
前記駆動電源回路に対して電力を供給する電力供給源をさらに備え、
前記電力供給源は前記電源電圧変換部および前記基準電圧変換部の両方に電力を供給し、
前記制御電圧は前記基準電圧変換部にのみ入力され、
前記電源電圧変換部は、前記基準電圧変換部から出力される基準電圧を入力とし、該基準電圧の値に基づき前記電源電圧の値を制御することを特徴とする請求項１〜３のうちいずれか１項に記載の画像表示装置。
【請求項６】
前記駆動電源回路に対して電力を供給する電力供給源をさらに備え、
前記電力供給源は前記電源電圧変換部および前記基準電圧変換部の両方に電力を供給し、
前記制御電圧は前記電源電圧変換部および前記基準電圧変換部の両方に入力され、
前記電源電圧変換部の立ち上がり時定数が前記基準電圧変換部よりも長いことを特徴とする請求項１〜３のうちいずれか１項に記載の画像表示装置。
【請求項７】
前記電源電圧変換部はスイッチングコンバータを含み、前記基準電圧変換部は非反転増幅回路で構成されていることを特徴とする請求項１〜６のうちいずれか１項に記載の画像表示装置。
【請求項８】
前記電源電圧変換部は反転型スイッチングコンバータを含み、前記基準電圧変換部は反転増幅回路で構成されていることを特徴とする請求項１〜６のうちいずれか１項に記載の画像表示装置。
【請求項９】
前記表示パネルは、複数の表示素子が複数の列配線と複数の行配線でマトリクス状に接続された構造の表示パネルであることを特徴とする請求項１〜８のうちいずれか１項に記載の画像表示装置。
【請求項１０】
前記表示素子は冷陰極型電子放出素子であることを特徴とする請求項９に記載の画像表示装置。
【発明の詳細な説明】
【技術分野】
【０００１】
本発明は画像表示装置に関し、特に画像表示装置の駆動回路用の電源回路に関する。
【背景技術】
【０００２】
平面型画像表示装置として、電子放出素子を用いた表示装置（電子線表示装置）、液晶表示装置、プラズマ表示装置、有機ＥＬ表示装置などが知られている。この種の平面型画像表示装置は、多数の表示素子がマトリクス状に配列された表示パネル（マトリクスパネル）と、表示素子を駆動するための駆動回路（ドライバＩＣ）とを備えている。駆動対象となる表示素子には、画像信号に応じて変調された変調信号が入力される。変調方式としては、パルス幅変調、パルス振幅変調などが知られている。昨今では、画像表示装置の薄型化・低消費電力化が所望され、効率の良い電力変換・駆動方法などが求められている。
【０００３】
特許文献１は、パルス幅変調信号が発光体の色毎にそれぞれ異なる電源からの電圧で駆動され、それら電源のそれぞれの出力電圧を変更することによりそれぞれの駆動電圧を制御し、ユーザが所望する色合いの画像を表示する手段を開示する。
【先行技術文献】
【特許文献】
【０００４】
【特許文献１】特開２０００−３１０９７１号公報
【発明の概要】
【発明が解決しようとする課題】
【０００５】
一般的な駆動回路は、出力段にバッファアンプを備えている。バッファアンプに電源電圧を与えるとともに、駆動電圧の出力値を決める基準電圧を与えることで、安定した駆動電圧出力を実現する。ところで、画像表示装置において表示素子の駆動電圧を制御することは、色合いの調整やＡＢＬ制御による電力制御に効果があり、そのためにはバッファアンプに与える基準電圧を可変制御することが必要である。従来は、駆動電圧の制御のために基準電圧を変更した場合でも、電源電圧は固定値で入力されていた。しかしこの構成では、基準電圧の設定値が小さくなるほど電源電圧と基準電圧の差が大きくなり、バッファアンプ部の回路損失が増加してしまうことがあった。図２（ａ）に電源電圧と基準電圧の関係、図２（ｂ）に電源電流、図２（ｃ）にバッファアンプで発生する損失について、駆動電圧設定値を変化させた際の変動を示している。回路損失は無駄な電力消費であるとともに駆動回路の発熱を生むため、可及的に小さくすることが望まれる。
【０００６】
本発明は、駆動電圧変更の際におこる駆動回路での回路損失の増加を防ぐことを目的とする。
【課題を解決するための手段】
【０００７】
本発明に係る画像表示装置は、表示パネルと、前記表示パネルを駆動するための駆動電圧を生成して該駆動電圧を前記表示パネルに出力する駆動回路と、前記駆動回路に対して、電源電圧と、前記駆動電圧の値を規定するための基準電圧とを供給する駆動電源回路と、を備え、前記駆動電源回路は、入力される制御電圧の値に応じて、出力する基準電圧の値を変化させる基準電圧変換部と、前記制御電圧の値、又は、前記基準電圧変換部から出力される前記基準電圧の値に応じて、前記電源電圧と前記基準電圧がともに低下し又は上昇するように、出力する電源電圧の値を変化させる電源電圧変換部と、を有する。
【発明の効果】
【０００８】
本発明によれば、駆動電圧変更の際におこる駆動回路での回路損失の増加を防ぐことができる。また別の効果として、駆動回路での発熱が抑制でき、画像表示装置全体としてみた場合に放熱設計を簡略化できる効果もある。
【図面の簡単な説明】
【０００９】
【図１】実施例１で用いた本発明の列配線電圧設定値に対する電源電圧と基準電圧（ａ）と電源電流（ｂ）と駆動回路の回路損失（ｃ）の説明図。
【図２】実施例１で用いた通常の列配線電圧設定値に対する電源電圧と基準電圧（ａ）と電源電流（ｂ）と駆動回路の回路損失（ｃ）の説明図。
【図３】発明を実施するための形態で用いた画像表示装置の全体構成例。
【図４】実施例１で用いた行配線駆動回路の内部構成例。
【図５】実施例１で用いた列配線駆動回路の（ａ）内部構成例と（ｂ）参照波形生成部の動作図。
【図６】実施例１で用いた階調データに対するＰＷＭでの（ａ）駆動電圧と（ｂ）電源電流とＰＨＭでの（ｃ）駆動電圧と（ｄ）電源電流の説明図。
【図７】駆動回路の出力アンプ構成図。
【図８】（ａ）実施例１と（ｂ）、（ｃ）実施例２での駆動電源回路内の配線図。
【図９】実施例１で用いた駆動電源回路内電源電圧変換部の内部構成例。
【図１０】実施例１で用いた駆動電源回路内基準電圧変換部の内部構成例。
【図１１】実施例１で用いた画像表示装置の表示パネル部の構成例。
【発明を実施するための形態】
【００１０】
以下に図面を参照して、この発明の好適な実施の形態を例示的に詳しく説明する。
本発明は、複数の表示素子が複数の列配線と複数の行配線でマトリクス状に接続された、単純マトリクス構造の表示パネル（マトリクスパネル）を有する画像表示装置に関する。特に、本発明は、この種の表示パネルに対して駆動電圧を印加する駆動回路（ドライバＩＣ）に対して電源電圧及び基準電圧を供給する駆動電源回路に関する。画像表示装置としては、例えば電子線表示装置、プラズマ表示装置、有機ＥＬ表示装置、液晶表示装置などを包含している。特に、単純マトリクス型画像表示装置は、配線容量や表示素子の寄生容量が大きく、駆動回路に流れる電流が選択行に集中することなどから、本発明が適用される好ましい形態である。電子線表示装置とは、冷陰極型電子放出素子から放出された電子で蛍光体を発光させることで画像を表示する方式のディスプレイである。冷陰極型電子放出素子としては、例えば、ＦＥ型電子放出素子、ＭＩＭ型電子放出素子、表面伝導型放出素子などが用いられる。
【００１１】
＜実施例１＞
本発明の実施の形態として、図３を用いて以下に具体的に説明する。図３は画像表示装置の全体構成例の図である。図３において、１は表示パネル、２は行配線を順次スキャンし、選択電圧と非選択電圧を出力する行配線駆動回路、３は列配線に階調駆動電圧を出力する列配線駆動回路を示す。４ａは行配線駆動回路２用の電源電圧と基準電圧を出力する駆動電源回路、４ｂは列配線駆動回路３に電源電圧と基準電圧を出力する駆動電源回路、５は駆動電源回路に電力を供給する電力供給源を示す。６ａは駆動電源回路４ａの出力電圧を制御する制御電圧、６ｂは駆動電源回路４ｂの出力電圧を制御する制御電圧、７は行配線駆動回路が非選択行配線に出力する電圧の元となる非選択電圧である。
【００１２】
図３において、表示パネル１は、印加する駆動電圧（変調信号）や選択電圧（走査信号）の振幅に対して発光輝度が変化し、ユーザが所望する色合いの画像を表示することが可能なマトリクスパネルである。表示パネル１は行配線駆動回路２と列配線駆動回路３に接続され、これら駆動回路から出力される駆動電圧と選択電圧・非選択電圧のパルス波形により画像を形成する。これら駆動回路の出力する駆動電圧および選択電圧は、駆動電源回
路４ａおよび４ｂから出力される基準電圧の電圧値を基に設定され、駆動回路内のバッファアンプによって安定した出力を得ている。図３では電力供給源５が１つ、制御電圧６が２つあり、行配線駆動回路２と列配線駆動回路３のそれぞれに電源電圧と基準電圧が出力される例を示す。
【００１３】
行配線駆動回路２の構成例を、図４（ａ）、図４（ｂ）を用いて以下に具体的に説明する。行配線駆動回路２は少なくとも駆動電源回路４ａから出力される電源電圧および基準電圧、非選択電圧７、駆動制御信号を入力とする。そして、行配線駆動回路２は、駆動制御信号に基づき、シフトレジスタ２０と選択スイッチ２２によって、駆動対象（選択対象）の行配線には選択電圧を、選択されない行配線には非選択電圧７を印加する。行配線駆動回路２と行配線の間は、フレキシブル配線などにより接続されている。バッファアンプ２１は、駆動電源回路４ａからの電源電圧を電力源とし、基準電圧の電圧値に基づき安定化した選択電圧を出力する回路である。シフトレジスタ２０は駆動制御信号に基づき選択スイッチ２２または、選択スイッチ２２とマルチプレクサ２３を切り替える回路である。選択スイッチ２２は、基準電圧の電圧値を基にした電圧と、非選択電圧７が入力され、シフトレジスタ２０からの制御信号により選択行配線と非選択行配線への出力を切り替える。ここで、非選択電圧７は任意の電圧またはＧＮＤであり、可変電圧であることがより望ましい。
【００１４】
図４（ａ）は通常使用する行配線駆動回路２の構成例であり、図４（ｂ）はＭＯＳＦＥＴのオン抵抗やフレキシブル配線での電圧降下が大きい場合などに使用する行配線駆動回路２の構成例である。図４（ａ）は、バッファアンプ２１の出力直下の電圧を帰還させる構成である。図４（ｂ）は、シフトレジスタ２０の制御によってフレキシブル配線の先にある配線パッドから帰還させた選択電圧をマルチプレクサ２３によって選択し、帰還させる構成である。図４（ｂ）の構成によれば、選択電圧を出力するバッファアンプ２１の出力から配線パッドまでの抵抗分を補正することができ、配線パッドに印加される選択電圧の出力精度が向上する。
【００１５】
次に、列配線駆動回路３の構成例を、図５（ａ）を用いて以下に具体的に説明する。列配線駆動回路３は少なくとも駆動電源回路４ｂから出力される電源電圧および基準電圧、階調データ、駆動制御信号を入力とする。そして、列配線駆動回路３は、フレキシブル配線などを介して各列配線に列配線駆動波形（Ｘ１〜Ｘｍ）を印加する。波形制御信号生成部３０では、階調データと駆動制御信号からシフトレジスタとラッチによってシリアル／パラレル変換をおこない、デコーダーにより波形生成信号を生成する。生成された波形生成信号は基準電圧とともに参照波形生成部３１に入力される。参照波形生成部３１においては図５（ｂ）に示すように、波形生成信号からレベルシフトをおこない、パルス幅変調（ＰＷＭ）駆動では基準電圧に基づいた波高値を持った列配線駆動波形を生成する。一方で、パルス振幅変調（ＰＨＭ）駆動では、基準電圧に基づいた波高値を最大階調データにおける波高値として階調データのデジタル／アナログ変換を行い、画像表示装置の列配線駆動波形を生成する。生成された列配線駆動波形は、駆動電源回路４から出力された電源電圧が供給されるバッファアンプ（３２１〜３２ｍ）を介してその出力が帰還され、安定化される。安定化された出力がフレキシブル配線などにより、表示パネル１の表示素子に列配線駆動電圧波形（Ｘ１〜Ｘｍ）として印加される。
【００１６】
図６（ａ）〜図６（ｄ）にパルス幅変調（ＰＷＭ）駆動およびパルス振幅変調（ＰＨＭ）駆動時の階調データによる列配線駆動電圧波形および列配線駆動回路の電源電流波形の一例を示す。図６（ａ）はＰＷＭ駆動における駆動電圧、図６（ｂ）はＰＷＭ駆動における電源電流である。図６（ｃ）はＰＨＭ駆動における駆動電圧、図６（ｄ）はＰＨＭ駆動における電源電流の波形である。
【００１７】
ＰＷＭ駆動では、図６（ａ）のように階調最大から階調１、階調２と低下させると、図６（ｂ）のように電源電流は階調最大時と同値であるが、駆動期間が短くなる。対してＰＨＭ駆動では、図６（ｃ）のように階調最大から階調１、階調２と低下させると、駆動期間は同じであるが、電源電流は図６（ｄ）のように駆動電圧の低下に伴い低下する。このような電源電流が駆動期間のあいだ駆動回路のバッファアンプに流れることで、損失が発生する。つまりこの損失は、ＰＷＭ駆動およびＰＨＭ駆動どちらの駆動回路においても発生する。後述する本実施形態の駆動電源回路は、いずれの駆動に対しても用いることができる。また、図６（ａ）〜図６（ｄ）は列配線駆動回路の出力について説明したが、行配線駆動回路においても同様の損失が発生するため、本実施形態の駆動電源回路を行配線駆動回路に適用してもよい。
【００１８】
図７は図６（ａ）、図６（ｂ）に示したＰＷＭ駆動時における列配線駆動回路のバッファアンプの損失について説明する図である。図７（ａ）に列配線駆動回路のバッファアンプの配線構造を、図７（ｂ）に図７（ａ）の内部構造を具体的に、図７（ｃ）にバッファアンプにおける損失の計算式をそれぞれ示す。これまで示してきたように、単純マトリクス型画像表示装置のような大きな過渡駆動電流を必要とする駆動回路には出力電圧を安定化させるため、図７（ａ）に示すようなバッファアンプを用いるのが一般的である。このバッファアンプは、図７（ｂ）に示したように、比較器によって基準電圧（参照波形電圧）の電圧値と等しくなるよう電源電圧に接続された半導体スイッチの開閉を制御し、安定した駆動電圧と電源電流を出力する回路である。図７（ｂ）のように、半導体スイッチの両端には電源電圧と駆動電圧の電圧差が発生し、そこに電源電流が流れ回路損失が発生する。ここで、駆動電圧の波高値は基準電圧で決まる。バッファアンプで発生する損失はこの波高値が印加されている期間において支配的であるので、列配線駆動回路のバッファアンプに発生する回路損失は図７（ｃ）の計算式で求められる。
【００１９】
ここで図２（ａ）〜図２（ｃ）に、上記の損失の駆動電圧設定値依存について説明する。図２（ａ）〜図２（ｃ）はいずれも各バッファアンプで発生する損失について、全出力ｃｈ分をトータルした概念図である。図２（ａ）に電源電圧と基準電圧の関係、図２（ｂ）に電源電流のトータル、図２（ｃ）にバッファアンプで発生する損失について、駆動電圧設定値を変化させた際の変動を示している。図７（ｃ）に示したように、駆動回路内のバッファアンプでは、電源電圧と基準電圧の電圧差が損失値を決める要因である。このため、特許文献１で示したように、駆動電圧設定値を変化させ、ユーザが所望する色合いの画像を表示する画像表示装置においては、図２（ｃ）のような損失が発生する。すなわち、駆動電圧設定値を変化させるために基準電圧を最大設定から最小設定に変更すると、図２（ａ）のように電源電圧との電圧差が増大する。その結果、図２（ｂ）のように駆動電圧が低下して電源電流が減少したにも拘わらず、図２（ｃ）のように損失が増えてしまう。これは、ＰＨＭ駆動時の損失についても同様に考えることができる。
【００２０】
図８（ａ）は、こうした駆動電圧設定値を変化させた際の損失を抑制させるための駆動電源回路４の実施例を示す図である。電力供給源５は例えばＡＣ／ＤＣコンバータで構成され、駆動用電力を駆動電源外部から供給する供給源である。制御電圧６は可変抵抗やマイコン等によって構成され、ユーザの任意に設定できる指示値である。駆動電源回路４は、これらの電力供給源５と制御電圧６を入力とし、制御電圧６の値に基づいて電源電圧変換部４１、基準電圧変換部４２にてそれぞれ電圧変換をおこなう回路である。ここで、電源電圧と基準電圧はともに低下し又は上昇するように制御され、駆動回路に供給される。
【００２１】
図９、図１０に電源電圧変換部４１、基準電圧変換部４２の構成について示す。制御電圧６の指示値に対し、基準電圧が３倍の出力、電源電圧が３倍＋０．８Ｖの出力をする回路の一例である。
【００２２】
図９に示すように電源電圧変換部４１は、一般的なチョッパ型降圧スイッチングコンバータ４１２で構成した。出力電圧を帰還し、リファレンス電圧と比較してスイッチングトランジスタ４１２２のＯＮ期間をＤＣ／ＤＣコントローラ４１２１によって制御し、コイル４１２３に充電するエネルギーによって降圧させる方式である。帰還させる電圧の帰還抵抗４１２６、４１２７による分圧比によってリファレンス電圧に対する出力電圧の倍率が決まる。ここで、リファレンス電圧として制御電圧６を入力することでスイッチングコンバータ４１２の出力を可変として制御できる。例えば、制御電圧６に加算器４１１によって０．８／３Ｖを加算したものをリファレンス電圧とすることで、電源電圧と基準電圧の関係を０．８Ｖ差の一定に保つことが可能となる。加算器４１１は、抵抗とオペアンプで構成される一般的なアナログ加算回路で構成することができる。また、リファレンス電圧を固定値とし、制御電圧６の供給先を帰還抵抗４１２６、４１２７と並列にし、抵抗値を調整することでも同様の効果が得られる。なお、上記は一般的なチョッパ型降圧スイッチングコンバータ４１２で説明したが、昇圧型・反転型・絶縁型・同期整流型等でも同様の効果は得られる。
【００２３】
一方図１０に示すように、基準電圧変換部４２は、電源電圧変換部４１の出力を電源、制御電圧６をリファレンス電圧とした非反転増幅回路で構成することができる。しかしこの構成に限らず、差動増幅回路やスイッチングコンバータ、リニアレギュレータを使用しても同様の効果は得られる。ただし、電源電圧変換部４１を反転型スイッチングコンバータで構成した場合は、基準電圧変換部４２の非反転増幅回路は反転増幅回路に置き換える必要がある。
【００２４】
図９に示した電源電圧変換部４１では、電源電圧と基準電圧の差が一定になるように両電圧を制御したが、本発明の構成はこれに限られない。基準電圧の値（絶対値）の低下（又は上昇）に伴い電源電圧の値（絶対値）も低下（又は上昇）させることで、基準電圧と電源電圧の電圧差が大きくなりすぎることを抑制できれば、回路損失の増加を抑制することができる。また基準電圧と電源電圧の関係は線形である必要はなく、電源電圧を段階的に又は不連続に変化させる構成でもよい。
【００２５】
例えば図９に示した電源電圧変換部４１において、帰還抵抗を調整してスイッチングコンバータ４１２の倍率を基準電圧変換部４２の倍率と違える（例えば４倍とする）ことで、電源電圧と基準電圧の関係を比の関係（４／３倍）とすることが可能となる。この場合、加算器４１１と組み合わせることで更に複雑な電位関係も制御可能となる。比の関係の応用は、駆動回路のバッファアンプの能力に応じて有効となる。すなわち、バッファアンプの電源電圧として必要な出力電圧に対する加算電圧分（ΔＶ）は、電源電流に応じて変化することがある。したがって、電源電流が少なければΔＶは少なくて済むようなバッファアンプの場合、駆動電圧設定値が低ければΔＶは小さくて良いため、本構成を使用すれば、さらなる損失抑制の効果がある。
【００２６】
図１（ａ）〜図１（ｃ）を用いて本構成による効果を説明する。図１（ａ）〜図１（ｃ）は、いずれも各バッファアンプで発生する損失について、全出力ｃｈ分をトータルした概念図である。図１（ａ）に電源電圧と基準電圧の関係、図１（ｂ）に電源電流のトータル、図１（ｃ）にバッファアンプで発生する損失について、駆動電圧設定値を変化させた際の変動を示している。図１（ａ）のように、電源電圧を基準電圧に追従して変更する構造を用いることで、最大設定から最小設定へ変更した際にも電圧差は変わらず、その結果、駆動回路の回路損失は図１（ｃ）のように抑制される。
【００２７】
一例として、列配線電圧最大設定時では電源電圧が１２．８Ｖ、基準電圧が１２．０Ｖ、電源電流が５．７Ａ流れ、列配線電圧最小設定時では基準電圧が８．５Ｖ、電源電流が４．４Ａ流れる駆動回路における効果を説明する。従来構成では電源電圧は１２．８Ｖに
固定であったのに対し、本構成では図１（ａ）のように電源電圧を基準電圧＋０．８Ｖとなるように制御する。図７（ｃ）の式にこれらの値を代入して損失を計算すると、列配線電圧最大設定時の損失は４．５６Ｗである。同様に列配線電圧最小設定時の損失は、従来構成では１８．９２Ｗであるのに対し、本構成では、３．５２Ｗである。すなわち、本例では、１５．４Ｗもの損失を改善することができた。
【００２８】
さらに、図８（ａ）のように構成された駆動電源回路では、基準電圧変換部４２の電源として電源電圧変換部４１の出力を使用するため、電源投入直後の立ち上がり時や異常時においても「電源電圧≧基準電圧」の関係性を保つことができる。そのため、立ち上がり時の電源電圧と基準電圧の逆転を防ぐための付加回路を省略することができるなど優れた効果があった。
【００２９】
さらには、電源電圧変換部４１にスイッチングコンバータを含むことにより、負の電源供給が可能となる。この構成によれば、電力供給源５が正電圧を出力している場合でも、基準電圧変換部４２に対して別途負電源を用意することなく負の基準電圧を生成することが可能となり、画像表示装置の電源部の構成を簡略化する効果があった。
【００３０】
また、基準電圧変換部４２の電源として、スイッチングコンバータ４１２で一度電圧変換をおこない基準電圧変換部４２の出力との差分が小さくされたものが供給される。これにより、直接電力供給源５から供給する場合と比べ、基準電圧変換部４２で電力変換時に発生する損失を抑制することができた。
【００３１】
図１１は画像表示装置における表示パネル部の放熱設計を説明する図である。１は表示パネル、２は行配線駆動回路、３は列配線駆動回路、８は放熱部材である。なおこの例では、行配線駆動回路２は左側に２個、列配線駆動回路３は下側に４個配置した構成を示す。行配線駆動回路２および列配線駆動回路３は通常、図１１に示されるように表示パネル１の端部に設置される。そして、各駆動回路で発生する熱の放熱のため、放熱部材８が取り付けられる。この時、放熱部材８は各駆動回路に対して１つであっても、ボード個々に取り付けられていてもよい。このように端部に各駆動回路と放熱部材８が設置されている構造では、放熱部材８の放熱能力確保のため、各駆動回路で発生する損失が大きいほど画像表示装置自体の厚みまたは額縁の領域が必要となる。従来は駆動回路に固定の電源電圧が供給され、駆動電圧を変化させた場合に駆動回路上で大きな損失が発生していた。そこで本実施例では、従来発生していた駆動回路での損失を電源変換回路部４１に移し、スイッチングコンバータ構成とすることで、トータルの損失を抑制することができた。この構成によれば、電源電圧変換部４１を放熱構造が十分に確保できるスペースに配置し、駆動回路付近での放熱設計を簡略化することができる。その結果、薄型・狭額縁の画像表示装置が容易に実現できる。さらに、高効率スイッチングコンバータを構成することで、電源電圧変換部４１を駆動回路付近に配置しても画像表示装置の薄型化・狭額縁化を阻害しない構成とできる効果があった。この構成にすれば、電源電圧変換部４１から駆動回路に電源電圧を供給する際の電圧降下によるロス分が抑制でき、更なる損失抑制の効果があった。
【００３２】
＜実施例２＞
本実施例は、図８（ｂ）に示される駆動電源回路４内の接続の例である。本構成は、電源電圧変換部４１と基準電圧変換部４２の両方が電力供給源５から電力を得ている。また基準電圧変換部４２から出力される基準電圧が電源電圧変換部４１に制御電圧として入力されている。このように構成された駆動電源回路４では、実施例１で示した駆動回路での回路損失を抑制する効果および放熱部材の簡略化の効果に加え、以下のように電源電圧と基準電圧の電圧差に規定が設けられている場合に効果があった。例えば基準電圧の確定前に電源電圧の供給が禁止されている駆動回路において、図８（ａ）の構成では、立ち上げ
時に基準電圧変換部４２の出力が確定する前に電源電圧変換部４１の出力が印加されてしまう。そのため、図８（ａ）の構成では、基準電圧が確定するまで電源電圧を出力しないようにする付加回路を設けることが好ましい。これに対し、図８（ｂ）の構成によれば、基準電圧の確定前に電源電圧の出力がおこなわれることがないため、上記のような付加回路を省略でき、回路構成を複雑化することなく厳密なシーケンス制御が可能となる。
【００３３】
さらに、図８（ｃ）に示すように電源電圧変換部４１に制御電圧６を入力する構成も採用できる。この場合は、電源電圧変換部４１の立ち上がり時定数を基準電圧変換部４２よりも長くすることで、図８（ｂ）の構成と同様の効果が得られる。
【符号の説明】
【００３４】
１：表示パネル、２：行配線駆動回路、３：列配線駆動回路、４（４ａ、４ｂ）：駆動電源回路、４１：電源電圧変換部、４２：基準電圧変換部、６：制御電圧
【図１】
2011154187.tif 000003
【図２】
2011154187.tif 000004
【図３】
2011154187.tif 000005
【図４】
2011154187.tif 000006
【図５】
2011154187.tif 000007
【図６】
2011154187.tif 000008
【図７】
2011154187.tif 000009
【図８】
2011154187.tif 000010
【図９】
2011154187.tif 000011
【図１０】
2011154187.tif 000012
【図１１】
2011154187.tif 000013